(57)【要約】【課題】軸筒の中間部には当該構成では取り付けることができず、構成上はおろかデザイン上の制約につながってしまっていた。【解決手段】クリップの基部を軸体に螺合させた螺合部材と、その螺合部材に固定した固定部材とによって挟着せしめたリップ取り付け構造。【選択図】　図１
2004142168.tif 000002
【特許請求の範囲】
【請求項１】
クリップの基部を軸体に螺合させた螺合部材と、その螺合部材に固定した固定部材とによって挟着せしめたことを特徴とするクリップ取り付け構造。
【請求項２】
前記螺合部材を軸体の端面に螺合させたことを特徴とする請求項１記載のクリップ取り付け構造。
【請求項３】
前記クリップの基部を軸体の中間部に形成した窓部から挿入し、前記螺合部材と固定部材とによって軸体に取り付けたことを特徴とする請求項１或いは、請求項２に記載のクリップ取り付け構造。
【発明の詳細な説明】
【０００１】
【発明の属する技術分野】
本発明は、クリップ取り付け構造に関する。
【０００２】
【従来の技術】
軸体へのクリップの取付構造としては、種々の手段が知られているが、その１例として、軸筒の天面に切り欠き部を設けると共に、クリップの基部に前記切り欠き部に係合する切り起こし部を形成し、そして、クリップの基部を天冠と軸筒とによって挟着せしめた取り付け構造が知られている（特許文献１参照）。
【０００３】
【特許文献１】
実開平７−４０１９１号公報（請求項１、図３）
【０００４】
【発明が解決しようとする課題】
しかし、前記の従来技術にあっては、クリップを軸筒の後端に取り付ける場合においては有効であるものの、軸筒の中間部には当該構成では取り付けることができず、構成上はおろかデザイン上の制約につながってしまっていた。特に、近年においては、軸筒の後端から若干前方にクリップを取り付ける筆記具が好まれるようになってきている。ポケットなどに装着した際、筆記具の先端がポケットの底部に当接せず、確実に差し込むことができると共に、ポケットの破れや汚れが防止されるのである。
【０００５】
【課題を解決するための手段】
本発明は、クリップの基部を軸体に螺合させた螺合部材と、その螺合部材に固定した固定部材とによって挟着せしめたことを要旨とする。
【０００６】
【実施例】
軸筒の内部にシャープペンシルが配置され、後部に配置されているノック部材を押圧操作することによって前記シャープペンシルが突出する、いわいる、出没式の筆記具（シャープペンシル）を１例として挙げ説明するが、これに限定されるものではない。内部に配置される物がボールペンであっても良いし、筆記具に限らず、電子入力ペンなどであっても良い。また、出没式の筆記具に限らず、例えば、キャップの着脱によってボールペンのペン先を保護するような一般的な筆記具に適用させても良い。
軸筒１の前端には、先部材２が螺着などの手段によって着脱自在に固定されているが、軸筒１は樹脂製の前軸１ａと金属製の後軸１ｂとから構成されており、それらは螺合によって着脱自在に固定されている。その前軸１ａの前方部には、グリップ機構３が挿着されているが、このグリップ機構３は、弾性内筒３ａと金属製の外筒３ｂから構成されているが、前記弾性内筒の１部分が外筒の孔から露出している。
前記軸筒１の内部には、中軸４が前後動自在に配置されており、その中軸４の先端には先具６が螺着などの手段によって着脱自在に固定されている。その先具６の先端には、芯をガイドし、案内する芯保護管７が圧入・固定されているが、先具６と一体的に形成しても良い。これら先具６や芯保護管７は、常時は、弾撥部材８によって後方に付勢され、前記軸筒１内に収納されているが、中軸４が前進移動することによって、先部材２の先端から突出し得るようになっている。即ち、前軸１ａと後軸１ｂは、間接的ではあるが、前記弾撥部材８によって互いが付勢されているのである。尚、中軸４は、前軸１ａ（軸筒１）に対して前後動可能ではあるが、回転不能に配置されているのである。これによって、前記先具６と中軸４とを容易に着脱することができる。
【０００７】
一方、前記軸筒１の後部には、軸筒１の径方向に付勢されたクリップ９が固定されており、そのクリップ９の先端内側には玉部１０が形成されている。そして、中軸４が前進すると、クリップ９の前方部分が軸筒１の径方向に倒れ込むように回転し、クリップ９の係合部１１が中軸４の後端部１２に係合するのである。ここで、前記クリップ９は、クリップ本体１３と弾性状の連結部材１４並びに、リング状の基部１５とから構成されている（図２参照）。前記連結部材１４の一端に形成された基部１５は軸筒１の側面に形成されている窓孔１ｃを通過して軸筒１に固定されており、また、他端はクリップ本体１３に固定されている。さらに詳述すると、その連結部材１４の中間部には屈曲部１６が形成されている。そして、その屈曲部１６は、連結部材１４と軸筒１との固定部１７とは離隔した位置に形成されている。即ち、軸筒１の固定部１７から離れた位置にクリップ本体１３との固定部１７が設けられているのである。そして、この離隔部分の全域を利用しても、連結部材１４を弾性変形させているのである。
【０００８】
次に、前記クリップ９の軸筒１に対する具体的な取り付け構造について説明する。軸筒１の後端部には、尾栓１８が螺合によって固定されており、その尾栓１８の前方には外周圧入部１９が形成されている。そして、その外周圧入部１９には前記クリップ９の基部１５が挿着され、その前方からリング状の固定部材２０が前記外周圧入部１９の外周面に強固に圧入・固定されているが、図４に示すように、固定部材２０の状部に被圧入部２０ａを形成し、その被圧入部２０ａを尾栓１８の内周面に圧入・固定しても良い。
尚、本例におけるクリップ９は、その前端にて前記中軸４の外面に当接し、径方向への没入が阻止されるようになっている。これによって、後述する芯タンクへの玉部１０の接触が回避され、もって、摺動する芯タンクへの傷などが防止されている。また、窓孔１ｃに対する基部１５の位置は、その基部１５が窓孔１ｃの後端部に触れない位置関係となっている。即ち、窓孔１ｃの後端と基部１５との間には、隙間Ｓが形成されている。基部１５と窓孔１ｃが接触していると、クリップ９の作動によって、基部や窓孔が変形したり、研磨されたりしてしまい、その結果、クリップががたついてしまったり、尾栓が軸筒に対して緩んでしっまったしてしまう危険性があり、これらの不具合を防止するための手段である。
【０００９】
前記中軸４の内側には、芯タンク２１が摺動自在に配置されており、その芯タンク２１の前端には、継手部材２２と中継部材２３を介して芯の把持・解放を行うチャック体２４が固定されている。また、そのチャック体２４の前方部分には、チャック体２４の開閉を行うチャックリング２５が囲撓している。そして、チャック体２４の前方には、芯の後退を阻止するゴム状弾性体からなる芯戻り止め部材２６が位置しており、その芯戻り止め部材２６は前記先具６の内面に圧入・固定されている。符号２７は、前記芯タンク２１やチャック体２４などを後方に付勢するコイルスプリングなどの弾撥部材であり、中軸４と継手部材２２との間に張設されている。
他方、前記芯タンク２１の後部には、消しゴムホルダー２８が圧入・固定されており、その消しゴムホルダー２８には、消しゴム２９が座金３０を介して着脱自在に嵌入されている。また、その消しゴムホルダー２８には、消しゴム２９を覆うようにノック部材３１が着脱自在に取り付けられている。
【００１０】
次に使用例について説明する。ノック部材３１を押圧すると、弾撥部材２７の弾撥力に抗して前記中軸４並びに、芯タンク２１などが前進移動し、先部材２の先端から先具６並びに、芯保護管７が突出する。この時、中軸４の後端１２が、連結部材１４の係合部１１に係合し、前記弾撥部材８の復帰力による後退動作が阻止される。この時、クリップ９は一時的に軸筒１から離隔するが、前記連結部材１４の離隔部分の湾曲変形も作用している。ここで、更にノック部材３１を押圧すれば、芯タンク２１やチャック体２４が前進し、芯の繰り出し操作が行われる。
再び、先具６を先部材２内に収納したい場合には、前記クリップ９をその後部を押圧し持ち上げ、係合部１１と中軸後端１２との係合を解除する。この時も、前述したように前記連結部材１４の離隔部分も湾曲し、クリップ９の前方が持ち上げられる。その解除によって中軸４などは、弾撥部材８によって後方に復帰する。
尚、本例においては、この中軸の後退状態において、チャック体が拡開し、芯を解放するようになっている。即ち、芯を突出させた状態で収納しても、芯が解放されているため、例え外力が付与されたとしても芯が容易に収納される様になっているのである。また、チャック体が拡開した状態で中軸が後退するため、最後退位置に達した際おける衝撃による、チャック体の芯の喰いちぎりを防止することができる。
【００１１】
【発明の効果】
本発明は、クリップの基部を軸体に螺合させた螺合部材と、その螺合部材に固定した固定部材とによって挟着せしめたので、軸筒の如何なる場所にもクリップを取り付けることができ、もって、構成やデザイン性に優れた製品を提供することができる。
【図面の簡単な説明】
【図１】本発明の１例を示す縦半断面図。
【図２】クリップを示す斜視図。
【図３】尾栓と固定部材を示す外観図。
【図４】第２例を示す要部縦断面図。
【符号の説明】
１　　　軸筒
２　　　先部材
３　　　グリップ部材
４　　　中軸
６　　　先具
７　　　芯保護管
８　　　弾撥部材
９　　　クリップ
１０　　玉部
１１　　係合部
１２　　後端部
１３　　クリップ本体
１４　　連結部材
１５　　基部
１６　　屈曲部
１７　　固定部
１８　　尾栓
１９　　外周圧入部
２０　　固定部材
２１　　芯タンク
２２　　継手部材
２３　　中継部材
２４　　チャック体
２５　　チャックリング
２６　　芯戻り止め部材
２７　　弾撥部材
２８　　消しゴムホルダー
２９　　消しゴム
３０　　座金
【図１】
2004142168.tif 000003
【図２】
2004142168.tif 000004
【図３】
2004142168.tif 000005
【図４】
2004142168.tif 000006